(57)【要約】【課題】建設中の建物の上方の階にも容易に運び上げ、組み立てて使用することができる簡易水洗トイレを提供する。【解決手段】便室１内に便器２が設置され、便器の下に配置された汚水槽３に連通して貯留槽と複数の浄化槽が配設される。浄化槽内に曝気用の空気管が挿入され、貯留槽４，９と浄化槽５〜８に順に汚水を送って浄化させ、浄化された処理水を洗浄水として便器２に送水する。便室１、汚水槽３、貯留槽４，９、及び浄化槽５〜８がトイレ基台１０上に着脱可能に設置される。トイレ基台１０の底部にキャスター１９が取り付けられる。便室１は、組み立て分解が可能に、床板上の四隅に柱１６を立設すると共に、各柱１６間に側壁１２を嵌め込み、各柱間の一面に扉１１を開閉可能に取り付けている。【選択図】図４
0003114733.tif 000002
【実用新案登録請求の範囲】
【請求項１】
便室内に便器が設置され、該便器の下に配置された汚水槽に連通して貯留槽と複数の浄化槽が配設され、該浄化槽内に曝気用の空気管が挿入され、該貯留槽と複数の浄化槽に順に汚水を送って浄化させ、浄化された処理水を洗浄水として便器に送水する洗浄水循環型の簡易水洗トイレにおいて、
前記便室、汚水層、貯留槽、及び浄化槽がトイレ基台上に着脱可能に設置されると共に、該トイレ基台の底部にキャスターが取り付けられ、該便室は、組み立てと分解が可能に、床板上の四隅に柱を立設すると共に、各柱の間に側壁を嵌め込み、各柱間の一面に扉を開閉可能に取り付けて構成されたことを特徴とする簡易水洗トイレ。
【請求項２】
前記便室の柱はアルミニウム製の中空成形体から形成されると共に、前記側壁はコアパネルを用いて形成されたことを特徴とする請求項１記載の簡易水洗トイレ。
【考案の詳細な説明】
【技術分野】
【０００１】
本考案は、建設中の建物の上層階などにおいて、仮設トイレとして使用される洗浄水循環型の簡易水洗トイレに関する。
【背景技術】
【０００２】
従来、仮設トイレとして、洗浄水循環型の簡易水洗トイレが、下記特許文献１などで知られており、各種のイベント会場、レジャー施設、公園、建設現場などに設置され、使用されている。この種の簡易水洗トイレは、下記特許文献１にも記載されるように、洗浄後の水を再び水洗用として循環使用し、汚水は複数の浄化槽を通すことにより、汚水中のし尿を微生物により分解している。このため、仮設トイレでは発生しやすい嫌な臭いを発生させず、し尿の除去などの保守点検を容易にして、便利に使用することができる。
【特許文献１】特許第３６２７１７６号公報
【考案の開示】
【考案が解決しようとする課題】
【０００３】
ところで、例えば建物の建設現場においてこの種の簡易水洗トイレを使用する場合、通常、完成状態に組み立てられたトイレを、建設現場に搬入し、屋外の適当な場所に設置されて使用される。近年、高層ビルが各地で建設され、そのような高層ビルの建設現場においても、多くの仮設トイレが設置され、通常、１階の適当な場所に設置している。
【０００４】
しかし、このような高層ビルの建設現場では、建設が進むにつれて、作業現場が上の階に移動し、例えば、建設現場が４０階、５０階と上階になった場合、仮設のエレベータは設置されているものの、一旦、上の階に上がって作業を開始した後は、トイレに行きたくなった場合でも、容易に１階まで降りて仮設トイレに行くことは難しい。このため、建設現場が４０階、５０階と上方の階の場合には、作業者はトイレを我慢して作業をしなければならないという課題があった。
【０００５】
そこで、仮設トイレを建設中の高層ビルの上方の階まで運び上げることが検討されたが、建設中の高層ビルの上方の階まで仮設トイレを運び上げるためには、仮設のエレベータを使用することになるが、仮設のエレベータは内部が狭いため、簡易水洗トイレをそのままエレベータに載せて、上方の階まで運び上げることが難しいという課題があった。
【０００６】
本考案は、上述の課題を解決するものであり、建設中の建物の上方の階にも容易に運び上げ、組み立てて使用することができる簡易水洗トイレを提供することを目的とする。
【課題を解決するための手段】
【０００７】
上記目的を達成するために、本考案の簡易水洗トイレは、便室内に便器が設置され、該便器の下に配置された汚水槽に連通して貯留槽と複数の浄化槽が配設され、該浄化槽内に曝気用の空気管が挿入され、該貯留槽と複数の浄化槽に順に汚水を送って浄化させ、浄化された処理水を洗浄水として便器に送水する洗浄水循環型の簡易水洗トイレにおいて、前記便室、汚水槽、貯留槽、及び浄化槽がトイレ基台上に着脱可能に設置されると共に、トイレ基台の底部にキャスターが取り付けられ、該便室は、組み立て分解が可能に、床板上の四隅に柱を立設すると共に、各柱間に側壁を嵌め込み、各柱間の一面に扉を開閉可能に取り付けて構成されたことを特徴とする。
【０００８】
ここで、上記便室の柱はアルミニウム製の中空成形体から形成すると共に、上記側壁はコアパネルを用いて形成することができる。
【考案の効果】
【０００９】
上記構成の簡易水洗トイレは、便室、汚水槽、貯留槽、浄化槽、及びトイレ基台を分離すると共に、便室を分解した状態で、設置場所に搬入する。例えば、設置場所が高層ビルの建設現場のような場合、従来の簡易水洗トイレでは、便室などは分解できないため、上方の階までトイレを運び上げるのが難しいが、このように各部分を分離し、便室を分解しているため、上方の階まで、仮設エレベータなどを使用して、簡易水洗トイレを運び上げることができる。
【００１０】
トイレの各部材を設置場所に搬入した後は、便室をトイレ基台上に組付け、貯留槽、浄化槽をその周囲に設置し、各浄化槽などを管路で接続して組み立てを完了することができる。
【００１１】
トイレ基台はキャスターにより移動することができるため、建設中の建物内の任意の階にトイレを置いた場合、その階の任意の場所に容易に移動して設置することができる。また、便室の柱は、アルミニウム製の中空成形体から形成し、側壁にはコアパネルを用いて形成すれば、さらにトイレを軽量化し、運搬を容易にすることができる。
【考案を実施するための最良の形態】
【００１２】
以下、本考案の一実施形態を図面に基づいて説明する。図１は洗浄水循環式の簡易水洗トイレの正面図を示し、図２はその断面付きの展開構成図を示し、図３はその汚水槽３、貯留槽４、浄化槽５などの分解時の斜視図を示し、図４はその便室１の分解時の斜視図を示している。
【００１３】
この簡易水洗トイレは、便室１、汚水槽３、貯留槽４、浄化槽５などの主要部が、分解・組み立て可能に形成されると共に、キャスター１９付きのトイレ基台１０の上に、取り付け取り外し可能に、設置される。各部材は嵌め込みにより、或は固定ねじにより着脱可能にトイレ基台１０の上に取り付けられる。
【００１４】
トイレ基台１０は矩形の板状に形成され、トイレ基台１０の底部にはキャスター１９が取り付けられる。トイレ基台１０の上に、便器２を取り付けた汚水槽３が固定され、汚水槽３の上には、便室１の床板１５が固定される。そして、床板１５の上には、便室１が組み付けられる。便室１は、四隅の柱１６と、柱１６と柱１６の間の上部に連結される梁１７と、各柱１６と梁１７により囲まれた便室１の側面と背面を構成する側壁１２と、便室１の正面に開閉可能に取り付けられる扉１１と、から構成される。
【００１５】
図４に示すように、各柱１６は、例えばアルミニウム製の中空成形体から形成され、床板１５上の四隅に立設するように固定される。各柱１６の左右両側には側壁１２の縁部が嵌り込む構造となっており、各柱１６の左右両側に側壁１２を立てるように各側壁１２が嵌め込まれる。さらに、各側壁１２の上部を保持して、各柱１６の上部を連結するように、梁１７が柱１６の上端に連結されて取り付けられる。
【００１６】
側壁１２には、各種の合板、或は内部にハニカムコアを内蔵したコアパネルなどが使用される。コアパネルの側壁１２とアルミニウムの中空成形体の柱１６を使用すれば、便室１の軽量化を図ることができ、運搬が容易となる。便室１の正面の右側の柱１６には、蝶番を介して扉１１が開閉可能に取り付けられる。
【００１７】
図２に示すように、水洗トイレ用の便器２は、汚水槽３の上部に設けたトイレの床部上に取り付けられる。便器２から流下するし尿と洗浄水は、その下の汚水槽３に入る構造である。汚水槽３に隣接して汚水を一旦貯めるための貯留槽４がトイレ基台１０上に載置され、取り付けられる。汚水槽３と貯留槽４とは連通管で接続され、汚水槽３の水位が連通管のレベルより上昇すると、汚水槽３の汚水が貯留槽４内に流下する。また、この貯留槽４の隣には貯留槽４より背の高い浄化槽５が配置され、貯留槽４の汚水を浄化槽５に送るために、揚水ポンプ２４ａを取り付けた揚水管２４が貯留槽４に挿入され、揚水管２４の先端は、隣接してトイレ基台１０上に取り付けられた浄化槽５に接続される。
【００１８】
揚水管２４に取り付けられた揚水ポンプ２４ａは、図２のように、タイマー２９によりその運転時間を制御され、トイレが使用され、水洗スイッチ２５がオンされたとき、予めタイマー２９に設定した時間だけ運転され、貯留槽４の汚水を浄化槽５に送水する。なお、貯留槽４内に水位センサを取り付け、貯留槽４内の水位が所定レベルに達したとき、揚水ポンプ２４ａを起動して、貯留槽４内の汚水を浄化槽５に送出することもできる。
【００１９】
浄化槽は、浄化槽５を含めて例えば４個が隣接して汚水槽３の周囲のトイレ基台１０上に取り付けられ、それらの浄化槽５〜８は、図２のように連通管によって順に連通接続されている。これらの各浄化槽５〜８を連通する各連通管は徐々にその位置が下になるように配置され、処理水が各浄化槽５〜８を順に送られる構造としている。
【００２０】
浄化槽８の隣には貯留槽９が配置され、浄化槽８と貯留槽９は連通管によって接続される。浄化槽５〜８の内部には、木炭（例えば備長炭）が浄化促進のために入れられる。木炭は任意の量だけ袋状の網などに入れて槽内に投入することができる。貯留槽９には、給水ポンプ２２ａを取り付けた給水管２２が挿入され、給水管２２の先端は、便器２に接続される。
【００２１】
したがって、水洗スイッチ２５が操作されたとき、給水ポンプ２２ａが運転されると、貯留槽９内の処理水が洗浄水として給水管２２を通して便器２に送られる。この給水ポンプ２２ａの運転時間はタイマー２７の設定時間によって制御され、給水ポンプ２２ａは、トイレが使用され、水洗スイッチ２５がオンされたとき、設定時間だけ運転され、処理水を便器２に送水する。
【００２２】
上記貯留槽４、浄化槽５〜８、及び貯留槽９は、図３に示すように、平面を方形とした直方体形状の箱型に、各々が個別に形成され、トイレ基台１０上における汚水槽３右側及び背面側に設置され、固定される。
【００２３】
さらに、貯留槽４、浄化槽５〜８、及び貯留槽９には、曝気用に空気管１８が挿入されるように配管され、空気管１８の一端にはエアーポンプ１４が接続され、各槽に曝気用の空気を供給するようにしている。
【００２４】
上記構成の簡易水洗トイレは、イベント会場、公園或いは高層ビルの建設現場などの設置場所に、運搬して設置されるが、運搬時には、便室１、汚水槽３、貯留槽４，９、浄化槽５〜８、及びトイレ基台１０を分離し、便室１を分解した状態で、設置場所に搬入する。
【００２５】
例えば、設置場所が高層ビルの建設現場のような場合、従来の簡易水洗トイレでは、便室などは分解できないため、上方の階までトイレを運び上げるのが難しいが、上記ように、便室１、汚水槽３、貯留槽４，９、浄化槽５〜８、及びトイレ基台１０の各部分を分離し、便室１を分解しているため、上方の階まで、仮設エレベータなどを使用して、簡易水洗トイレを運び上げることができる。トイレの各部材を設置場所に搬入した後は、便室１をトイレ基台１０上に組付け、貯留槽４，９、浄化槽５〜８をその周囲に設置し、各浄化槽などを管路で接続する。
【００２６】
便室１は、床板１５を汚水槽３上に取り付け、その床板１５の四隅に柱１６を立設するように固定し、両側と背面の柱１６と柱１６の間に側壁１２を嵌め込む。そして、柱１６と柱１６の上端の間に、梁１７を固定し、便室１の前面に扉１１を、右側の柱１６に対し蝶番を介して取り付けて、便室１を完成する。
【００２７】
トイレ基台１０はキャスター１９により移動することができるため、建設中の建物内の任意の階にトイレを置いた場合、その階の任意の場所に容易に移動して設置することができる。また、便室１の柱は、アルミニウム製の中空成形体から形成し、側壁１２はコアパネルを用いて形成した場合、トイレを軽量化し、運搬を容易にすることができる。
このように、簡易水洗トイレは、汚水槽３の上に、或る程度の大きさの便室１を組付け、その周囲に貯留槽４、９、及び浄化槽５〜８をトイレ基台１０の上に設置して構成されるが、汚水槽３及び各浄化槽などはトイレ基台１０から分離さて運ばれ、便室１はその柱１６、側壁１２、梁１７、扉１１などが分解されて搬送されるため、設置場所が、高層ビルの上方の階であっても、貯留槽４、９、浄化槽５〜８、トイレ基台１０、柱１６、側壁１２、梁１７、扉１１などの部材を仮設エレベータなどに載せて上方の階に運び上げ、そこで組み立てることができる。
【００２８】
トイレ基台１０上の汚水槽３の右側及び背面側に、貯留槽４、浄化槽５〜８、及び貯留槽９が設置され、各槽には隣接する槽との間に連通管が接続され、貯留槽４と浄化槽５の間には揚水ポンプ２４ａを取り付けた揚水管２４が接続され、貯留槽４と汚水槽３との間には連通管が接続され、最後の貯留槽９と便器２の間には給水ポンプ２２ａを設けた給水管２２が接続される。
【００２９】
さらに、貯留槽４、浄化槽５〜８、及び貯留槽９には曝気をおこなうために、空気管１８が挿入され、空気管１８の末端に空気ポンプ１４が接続される。空気管の先端には空気噴出孔が設けられ、処理水中に泡状の空気を噴出する。さらに、浄化槽５〜８には適量の木炭が網袋などに入れて投入される。備長炭などの良質の木炭は水中に沈み、微生物の繁殖を良好に促進すると共に水中の有機物を内部に吸着する。
【００３０】
トイレの使用に際し、汚水槽３を含めて貯留槽４、浄化槽５〜８、及び貯留槽９に、水が各槽の連通管のレベルまで入れられ、さらに、汚水槽３、貯留槽４には、し尿を発酵分解させる好気性の発酵微生物が投入される。
【００３１】
空気ポンプ１４は、原則的には昼夜２４時間運転されるように、電源に接続され、給水ポンプ２２ａと揚水ポンプ２４ａは、トイレに水を流す際に使用される水洗スイッチ２５がオンされたとき、予め設定されタイマー２７，２９の設定時間だけ、運転される用にその制御回路に接続される。ポンプの運転時間は、１回の水洗に必要な水量を供給する時間であるが、洗浄水循環型の水洗トイレの場合、同じ給水能力の給水ポンプ２２ａと揚水ポンプ２４ａの運転時間を同じにした場合、汚水槽３と貯留槽４において、汚水がオーバーフローしてしまう。
【００３２】
つまり、各浄化槽や貯留槽は蓋を被せてあるものの、大気と連通しているために、水分の蒸発散がある程度あり、この蒸発散の量はトイレの使用によって入るし尿量より少し少ない。このため、し尿量から蒸発散の水量を引いた量の汚水がトイレの使用に応じて増加していくから、揚水ポンプ２４ａの運転時間（タイマー２９の設定時間）を給水ポンプ２２ａの運転時間（タイマー２７の設定時間）より少し多くして、汚水槽３などからの汚水のオーバーフローを防止している。例えば、１回のトイレの使用時に運転する給水ポンプ２２ａの運転時間（タイマー２７の設定時間）が６秒の場合、揚水ポンプ２４ａの運転時間は６．１秒とタイマー２９の時間を設定する。このポンプの運転時間は、トイレの平均使用回数に応じて調整する必要がある。
【００３３】
トイレが使用され、水洗スイッチ２５がオンされると、給水ポンプ２２ａがタイマー２７の設定時間だけ作動し、便器２に給水ポンプ２２ａから所定量の洗浄水（処理水）が給水され、し尿が洗浄水と共に汚水槽３に送られる。これにより汚水槽３の水位が連通管のレベルより上昇すると、水位の上昇分の汚水が汚水槽３から次の貯留槽４に流れ込む。また同時に、揚水ポンプ２４ａもタイマー２９の設定時間だけ作動し、所定量の汚水が貯留槽４から浄化槽５に揚水される。
【００３４】
浄化槽５内の処理水の水位が連通管のレベルより上昇すると、その水位の上昇分の処理水が次の浄化槽６に流れる。そして、その浄化槽６内の水位の上昇分の処理水が次の浄化槽７に流れ、その浄化槽８内の水位の上昇分の処理水が次の貯留槽９に流れ込む。
【００３５】
このように、処理水は浄化槽５〜８内を順に通りながら、各槽内に生息する発酵微生物によって、その有機物は分解され、特に、空気管１８を通して各浄化槽５〜８内に空気が吹き出され、エアレーションが行なわれることにより、処理水内で発酵微生物が大きく繁殖し、し尿などの有機物が高い効率で分解されていく。
【００３６】
したがって、最後の浄化槽８から貯留槽９に送られる処理水内の有機物は、発酵微生物によって分解されて大きく減少し、その処理水の透明度は、汚水槽３内の汚水にくらべ、大きく向上し、洗浄水として違和感なく使用できる程度に浄化することができる。
【００３７】
そして、浄化された処理水は、最終段の貯留槽９に達すると、洗浄水としてそこから給水ポンプ２２ａにより給水管２２を通して便器２に給水され、再び便器２の洗浄に循環使用される。
【００３８】
このように、形状が比較的大型化しやすい洗浄水循環型の簡易水洗トイレであっても、便室１、汚水槽３、貯留槽４，９、浄化槽５〜８、及びトイレ基台１０を分離し、便室１を分解した状態で、搬送することができるため、建設中の高層ビルの上方の階であっても、仮設エレベータで容易に搬入して、任意の位置に簡易水洗トイレを設置することができる。
【図面の簡単な説明】
【００３９】
【図１】本考案の一実施形態を示す簡易水洗トイレの正面図である。
【図２】同トイレの構成図である。
【図３】同トイレの分解時の下部の貯留槽、浄化槽などの斜視図である。
【図４】同トイレの便室１の分解時の斜視図である。
【図５】同トイレの組立て完了時の斜視図である。
【符号の説明】
【００４０】
１−便室
２−便器
３−汚水槽
４，９−貯留槽
５〜８−浄化槽
１０−トイレ基台
１１−扉
１２−側壁
１６−柱
１９−キャスター
【図１】
0003114733.tif 000003
【図２】
0003114733.tif 000004
【図３】
0003114733.tif 000005
【図４】
0003114733.tif 000006
【図５】
0003114733.tif 000007